(57)【要約】【課題】着座者や患者等の支持対象の下面、各エアーセルの外表面及び各エアーセルを支持する支持部材の上面によって形成される空間に汗等による湿気や液体が残留し難く、しかも空気を介して病気に感染する可能性が高くなることのないクッションを提供する。【解決手段】着座者の臀部Ｈの下面、各エアーセル１０の外表面１０ａ及び支持部材２０の上面２０ａによって形成される空間ＳＰから吸引ポンプ３０によって単位時間あたりの吸引量が所定量となるように空気が吸引されるので、空気の吸引とともに前記空間ＳＰから汗等による湿気が吸引され、汗等による液体も徐々に蒸発して吸引される。また、着座者の臀部Ｈに空気が吹き付けられることがないので、各エアーセル１０によって支持される臀部Ｈに傷等が生じている場合でも、空気を介して病気に感染する可能性が高くなることがない。【選択図】図６
2009112464.tif 000002
【特許請求の範囲】
【請求項１】
平板状の支持部材と、互いに略水平方向に並ぶように配置されるとともに、支持部材の上面よりも上方に突出するように支持部材によってそれぞれ支持された複数のエアーセルとを備え、各エアーセルによって任意の支持対象を支持するクッションにおいて、
前記支持対象を各エアーセルによって支持した際に支持対象の下面、各エアーセルの外表面及び支持部材の上面によって形成される空間から単位時間あたりの吸引量が所定量となるように空気を吸引する吸引手段を備えた
ことを特徴とするクッション。
【請求項２】
前記各エアーセルが潰れていない状態で、各エアーセルの外表面、支持部材の上面、各エアーセルから成るエアーセル群の外周面に沿って延びる第１仮想面及び各エアーセルの上端に接触するように延びる第２仮想面によって形成される基準空間の体積をＳ１とし、前記吸引手段の１秒あたりの吸引量をＳ２とした場合に、Ｓ１／Ｓ２が１以上となるように構成した
ことを特徴とする請求項１記載のクッション。
【請求項３】
前記支持対象を各エアーセルによって支持した際に支持対象の下面、各エアーセルの外表面及び支持部材の上面によって形成される空間の気温を検出可能な温度センサと、
温度センサの検出温度に基づき吸引手段を制御する制御手段とを備えた
ことを特徴とする請求項１または２記載のクッション。
【請求項４】
前記支持対象を各エアーセルによって支持した際に支持対象の下面、各エアーセルの外表面及び支持部材の上面によって形成される空間の湿度を検出可能な湿度センサと、
湿度センサの検出湿度に基づき吸引手段を制御する制御手段とを備えた
ことを特徴とする請求項１または２記載のクッション。
【請求項５】
所定時間おきに所定時間ずつ吸引手段によって空気を吸引させる制御手段を備えた
ことを特徴とする請求項１または２記載のクッション。
【請求項６】
前記吸引手段によって吸引した空気を除菌及び／または脱臭する吸引空気処理手段を備えた
ことを特徴とする請求項１、２、３、４または５記載のクッション。
【請求項７】
前記各エアーセル内に空気を供給するエアーポンプを備え、
前記吸引手段をエアーポンプの空気吸入口によって構成した
ことを特徴とする請求項１、２、３、４、５または６記載のクッション。
【発明の詳細な説明】
【技術分野】
【０００１】
本発明は、例えば車椅子や病院のベッドに載置されて着座者や患者を軟らかく支持する褥瘡防止用のクッションに関するものである。
【背景技術】
【０００２】
一般に、この種のクッションとしては、車椅子の着座面に載置可能な平板状に形成された支持部材と、それぞれ支持部材の上面から上方に向かって延びるように形成され、互いに略水平方向に並ぶように配置された複数のエアーセルと、各エアーセル内を互いに連通させる空気通路と、空気通路を介して各エアーセル内に空気を供給可能なエアーポンプとを備え、各エアーセルによって着座者の臀部を支持するようにしたものが知られている（例えば、特許文献１参照。）。
【０００３】
また、他のクッションとしては、互いに略水平方向に並ぶように配置された複数のエアーセルと、各エアーセルの下端を支持する支持部材と、各エアーセル内に空気を供給可能なエアーポンプと、各エアーセルの上面に設けられた複数の通気孔とを備え、各エアーセルによって患者を支持する際に、各エアーセルに設けられた通気孔から空気が吐出されるようにしたものが知られている（例えば、特許文献２参照。）。
【特許文献１】特表平６−５１０４３６号公報
【特許文献２】特開平９−０２４０７０号公報
【発明の開示】
【発明が解決しようとする課題】
【０００４】
ところで、前記各クッションでは、各エアーセルによって着座者や患者を軟らかく支持するために、各エアーセルは内部に空気を封入可能であるとともに可撓性を有する必要があり、各エアーセルが空気透過性の低いゴムやプラスチック等から形成されている。また、支持部材は、着座者や患者から生ずる汗等の湿気や液体が染み込むことがなく、汗等の湿気や液体によって強度低下を生ずることがないように、汗等の液体を透過し難いゴム、プラスチック、表面処理が施された布等から形成されている。
【０００５】
このため、前者のクッションでは、各エアーセル上に着座者が着座すると、着座者の臀部の下面、各エアーセルの外表面及び支持部材の上面によって形成される空間に汗等による湿気や液体が残留し易いという問題点があった。ここで、前記空間に汗等による湿気や液体が残留すると、着座者の臀部が湿気や液体によって褥瘡の発生し易い状態となり、また、着座者の臀部近傍を清潔な状態に維持する上で好ましくない。
【０００６】
一方、後者のクッションでは、各エアーセルによって患者を支持する際に、各エアーセルに設けられた通気孔から空気が吐出され、前記空間に汗や湿気が残留し難くなっている。しかしながら、各エアーセル上の患者が動かない状態で、各エアーセルに設けられた通気孔から空気が吐出されると、通気孔から吐出される空気が患者の一部分に継続的に吹き付けられることになるので、例えばクッションが病院において使用され、通気孔からの吐出空気が吹き付けられる部分に傷等が生じている場合に、空気を介して病気に感染する可能性が高くなるという問題点があった。
【０００７】
本発明は前記問題点に鑑みてなされたものであり、その目的とするところは、着座者や患者等の支持対象の下面、各エアーセルの外表面及び各エアーセルを支持する支持部材の上面によって形成される空間に汗等による湿気や液体が残留し難く、しかも空気を介して病気に感染する可能性が高くなることのないクッションを提供することにある。
【課題を解決するための手段】
【０００８】
本発明は前記目的を達成するために、平板状の支持部材と、互いに略水平方向に並ぶように配置されるとともに、支持部材の上面よりも上方に突出するように支持部材によってそれぞれ支持された複数のエアーセルとを備え、各エアーセルによって任意の支持対象を支持するクッションにおいて、前記支持対象を各エアーセルによって支持した際に支持対象の下面、各エアーセルの外表面及び支持部材の上面によって形成される空間から単位時間あたりの吸引量が所定量となるように空気を吸引する吸引手段を備えたている。
【０００９】
これにより、支持対象の下面、各エアーセルの外表面及び支持部材の上面によって形成される空間から所定の吸引速度で空気が吸引されるので、空気の吸引とともに前記空間から汗等による湿気が吸引され、汗等による液体も徐々に蒸発して吸引される。
【発明の効果】
【００１０】
本発明によれば、空気の吸引とともに前記空間から汗等による湿気が吸引され、汗等による液体も徐々に蒸発して吸引されるので、前記空間に汗等による湿気や液体が残留し難い。また、支持対象に空気が吹き付けられることがないので、各エアーセルによって支持される部分の近傍に傷等が生じている場合であっても、空気を介して病気に感染する可能性が高くなることがなく、支持対象を衛生的な状態に維持する上で極めて有利である。
【発明を実施するための最良の形態】
【００１１】
図１乃至図７は本発明の一実施形態を示すもので、図１はクッションの平面図、図２は図１におけるＡ−Ａ線断面図、図３は基準空間を示すクッションの断面図、図４はクッションのブロック図、図５は制御装置の動作を示すフローチャート、図６及び図７はクッションの動作説明図である。尚、以下の文章中における方向の説明は図１及び図２に示した前後方向、着座面幅方向及び上下方向に準ずる。また、前後方向と着座面の前後方向は一致している。
【００１２】
このクッションは、互いに略水平方向に並ぶように配置された複数のエアーセル１０と、例えば車椅子の着座面に沿って延びるように形成され、各エアーセル１０の下端側をそれぞれ支持する可撓性の支持部材２０と、周知の電動エアーポンプから成る吸引ポンプと３０、周知の温度センサ４０と、各エアーセル１０上に着座者が着座したことを検知可能な着座検知センサ５０と、吸引ポンプ３０、温度センサ４０及び着座検知センサ５０に接続されている制御装置６０とを備えている。
【００１３】
各エアーセル１０はゴムやプラスチック等の可撓性を有する材料から成る。また、各エアーセル１０は、下端が開口するとともに内部に空気を封入可能な袋状に形成され、支持部材２０の上面２０ａから上方に向かって延びるように形成されている。即ち、各エアーセル１０は支持部材２０の上面２０ａよりも上方に突出するように支持部材２０によってそれぞれ支持されている。尚、本実施形態では、着座面前後方向の両端及び着座面幅方向の両端に配置されている各エアーセル１０は他のエアーセル１０よりも大きな高さ寸法を有するが、各エアーセル１０の高さ寸法を全て同等にすることも可能である。
【００１４】
支持部材２０は上側シート状部材２１及び下側シート状部材２２から構成されている。各シート状部材２１，２２はゴムやプラスチック等の可撓性を有する材料から成り、各シート状部材２１，２２はそれぞれ平板状に形成されている。また、上側シート状部材２１の下面は下側シート状部材２２の上面に接着剤等によって貼り合わせられている。上側シート状部材２１は各エアーセル１０と一体に形成され、上側シート状部材２１は各エアーセル１０の下端側と連続している。これにより、各エアーセル１０の下端側が支持部材２０によってそれぞれ支持されている。
【００１５】
支持部材２０には複数の第１貫通孔２０ｂが設けられ、各第１貫通孔２０ｂは下側シート状部材２２を上下方向に貫通し、各エアーセル１０にそれぞれ１つずつ対応するように設けられている。各第１貫通孔２０ｂには図示しない連通パイプが差込まれる。これにより、各エアーセル１０が連通パイプを介して互いに連通するように、連通パイプが各エアーセル１０内に連通する。また、連通パイプは図示しない周知の電動エアーポンプに接続され、その電動エアーポンプによって各エアーセル１０内に空気が供給されるようになっている。
【００１６】
支持部材２０には複数の第２貫通孔２０ｃが設けられ、各第２貫通孔２０ｃは上側シート状部材２１及び下側シート状部材２２を上下方向に貫通し、支持部材２０の上面２０ａにおける各エアーセル１０の間に開口している。
【００１７】
吸引ポンプ３０は例えば周知の電動エアーポンプやコンプレッサーから成り、吸引パイプ３０ａを介して各第２貫通孔２０ｃに連通している。吸引ポンプ３０の空気吐出口にはフィルター３１が取付けられ、吸引ポンプ３０の吐出空気がフィルター３１によって除菌及び／または脱臭されるようになっている。フィルター３１は例えば脱臭カラムから成る。脱臭カラムとは、筒状部材内に例えば活性炭等の吸着剤を収容したものであり、筒状部材内を通過した空気が脱臭されるようになっている。また、前記筒状部材内に除菌作用を有する周知の充填材をさらに収容したり、前記脱臭カラムに除菌カラムを直列に接続することにより、除菌及び脱臭を行うことが可能である。さらに、脱臭カラムを設けずに除菌カラムのみを設けることも可能である。尚、フィルター３１は特許請求の範囲に記載した吸引空気処理手段に相当する。
【００１８】
着座検知センサ５０は周知の圧力センサから成り、各エアーセル１０上に着座者が着座すると、着座検知センサ５０に加わる圧力が所定の大きさ以上になり、着座者の着座が検知されるようになっている。
【００１９】
制御装置６０はＣＰＵ、メモリー等を有する周知のマイクロコンピュータから成り、温度センサ４０の検出温度に基づいて吸引ポンプ３０を制御するようになっている。
【００２０】
以上のように構成されたクッションは、例えば車椅子の着座面に載置されて使用される。また、着座者が着座する前段階で、各エアーセル１０内に所定量の空気が封入される。
【００２１】
ここで、着座者が着座した後の制御装置の動作について図５に示すフローチャートを参照しながら説明する。
【００２２】
先ず、着座検知センサ５０によって着座者の着座が検知され（Ｓ１）、温度センサ４０の検出温度が所定温度よりも高くなると（Ｓ２）、吸引ポンプ３０によって各第２貫通孔２０ｃから空気を吸引する（Ｓ３）。ここで、温度センサ４０は、着座者の臀部Ｈが各エアーセル１０によって支持された際に、着座者の臀部Ｈの下面、各エアーセル１０の外表面１０ａ及び支持部材２０の上面２０ａによって形成される空間ＳＰの温度を検出するようになっている。これにより、前記空間ＳＰから吸引ポンプ３０によって空気が吸引される。また、空気の吸引とともに前記空間ＳＰから汗等による湿気が吸引され、汗等による液体も徐々に蒸発して吸引される。ここで、図６に示すように、着座者の臀部Ｈと各エアーセル１０との間に衣服ＣＬが介在している場合は、着座者の臀部Ｈと各エアーセル１０との間に介在している衣服ＣＬ内を空気が流通し、衣服ＣＬ内に存在する汗等による湿気や液体も吸引ポンプ３０によって吸引される。また、図７に示すように、各エアーセル１０の上面が布製のカバー７０によって覆われ、着座者の臀部Ｈと各エアーセル１０との間にカバー７０及び衣服ＣＬが介在している場合は、着座者の臀部Ｈと各エアーセル１０との間に介在しているカバー７０内及び衣服ＣＬ内を空気が流通し、カバー７０内及び衣服ＣＬ内に存在する汗等による湿気や液体も吸引ポンプ３０によって吸引される。
【００２３】
一方、着座検知センサ５０によって着座者の着座が検知されなくなった場合や（Ｓ１）、温度センサ４０の検出温度が所定温度以下になった場合は（Ｓ２）、吸引ポンプ３０による空気の吸引を停止させる（Ｓ４）。
【００２４】
ここで、吸引ポンプ３０は１秒あたりの吸引量Ｓ２が８００ｃｍ2であり、一定の吸引速度で空気を吸引するようになっている。一方、各エアーセル１０が潰れていない状態において、各エアーセル１０の外表面１０ａ、支持部材２０の上面２０ａ、各エアーセル１０から成るエアーセル群の外周面に沿って延びる第１仮想面Ｆ１及び各エアーセル１０の上端に接触するように延びる第２仮想面Ｆ２によって形成された基準空間ＳＳ（図４の斜線部分）の体積Ｓ１は４０００ｃｍ2である（図１及び図４参照）。この時、各エアーセル１０内には前記所定量の空気が封入されている。即ち、基準空間ＳＳの体積Ｓ１を吸引ポンプ３０の１秒あたりの吸引量Ｓ２で除算した結果が５になるので、吸引ポンプ３０は基準空間ＳＳの体積と等しい量の空気を５秒に１回吸引するようになっている。
【００２５】
このように、本実施形態によれば、着座者の臀部Ｈの下面、各エアーセル１０の外表面１０ａ及び支持部材２０の上面２０ａによって形成される空間ＳＰから単位時間（１秒）あたりの吸引量Ｓ２が所定量（８００ｃｍ2）となるように空気が吸引されるので、空気の吸引とともに前記空間ＳＰから汗等による湿気が吸引され、汗等による液体も徐々に蒸発して吸引される。即ち、前記空間ＳＰに汗等による湿気や液体が残留し難い。また、着座者の臀部Ｈに空気が吹き付けられることがないので、各エアーセル１０によって支持される臀部Ｈに傷等が生じている場合でも、空気を介して病気に感染する可能性が高くなることがなく、臀部Ｈを衛生的な状態に維持する上で極めて有利である。
【００２６】
また、各エアーセル１０が潰れていない状態において、各エアーセル１０の外表面１０ａ、支持部材２０の上面２０ａ、各エアーセル１０から成るエアーセル群の外周面に沿って延びる第１仮想面Ｆ１及び各エアーセル１０の上端に接触するように延びる第２仮想面Ｆ２によって形成される基準空間ＳＳの体積Ｓ１を４０００ｃｍ2とし、吸引ポンプ３０の１秒あたりの吸引量Ｓ２を８００ｃｍ2とした。即ち、Ｓ１／Ｓ２が５になるようにしたので、前記空間ＳＰ内において空気が静かに移動する。従って、各エアーセル１０によって支持される臀部Ｈに傷等が生じている場合でも、空気を介して病気に感染する可能性を極力低くすることができる。尚、Ｓ１／Ｓ２が１以上であれば、前記空間ＳＰ内を空気が静かに移動する。また、Ｓ１／Ｓ２が３以上である場合は、前記空間ＳＰ内を空気がより静かに移動するので、Ｓ１／Ｓ２は５以上であることが好ましい。一方、Ｓ１／Ｓ２が１よりも小さくなると、前記空間ＳＰ内の空気の速度が大きくなり、前記空間ＳＰ内における空気の流れやすい経路のみで空気が移動するとともに、空気の流れ難い場所において空気が移動しなくなり、汗等による湿気や液体を前記空間ＳＰ内の全ての場所から万遍なく吸引することができなくなる。また、Ｓ１／Ｓ２が７よりも大きくなると、前記空間ＳＰ内における空気の移動量が小さくなり始めるとともに、汗等による湿気や液体の吸引が少なくなり始め、Ｓ１／Ｓ２が１０よりも大きくなると、湿気や液体の吸引を効果的に行うことができなくなる。即ち、Ｓ１／Ｓ２が１以上１０以下であれば、Ｓ１／Ｓ２が５である場合と同等の作用効果を達成することができる。また、Ｓ１／Ｓ２は３以上７以下であることが好ましい。
【００２７】
また、前記空間ＳＰ内の温度を検出可能な温度センサ４０を設け、温度センサ４０の検出温度に基づき吸引ポンプ３０を制御するようにした。このため、前記空間ＳＰ内の温度によって変化する着座者の発汗量に応じて吸引ポンプ３０による吸引を行うことができ、吸引ポンプ３０による無用な吸引を防止することができる。
【００２８】
また、吸引ポンプ３０の吐出空気をフィルター３１によって除菌及び／または脱臭するようにしたので、衛生面において極めて有利である。尚、吸引パイプ３０ａの途中にフィルター３１を設けることも可能である。
【００２９】
尚、本実施形態では、前記空間ＳＰ内の温度を検出する温度センサ４０を設け、温度センサ４０の検出温度に基づき吸引ポンプ３０を制御するようにしているが、温度センサ４０の代わりに前記空間ＳＰ内の湿度を検出するための周知の湿度センサを設け、湿度センサの検出湿度に基づき吸引ポンプ３０を制御することも可能である。この場合でも、着座者の発汗量に応じて吸引ポンプ３０による吸引を行うことができ、吸引ポンプ３０による無用な吸引を防止することができる。
【００３０】
また、温度センサ４０や湿度センサを設けずに、制御装置６０によって吸引ポンプ３０を所定時間（例えば１０分）おきに所定時間（例えば３分）ずつ作動させることも可能である。この場合でも、前記各所定時間の設定を適宜行うことにより、着座者の発汗量に応じて吸引ポンプ３０による吸引を行うことができ、吸引ポンプ３０による無用な吸引を防止することができる。
【００３１】
尚、本実施形態では、支持部材２０によって各エアーセル１０の下端側をそれぞれ支持したクッションを示した。これに対し、平板状の支持部材１００によって各エアーセル９０の上下方向の中間部分を支持することも可能である（図８参照）。この場合でも、各エアーセル９０は支持部材１００の上面１００ａよりも上方に突出するように支持部材１００によって支持されている。また、支持部材１００に複数の貫通孔１００ｂを設けるとともに、各貫通孔１００ｂから吸引ポンプ３０によって空気を吸引することにより、前述と同様の作用効果を達成することができる。
【００３２】
また、本実施形態では、平板状の支持部材２０と、支持部材２０の上面から上方に向かって延びるように形成された複数のエアーセル１０とを有するクッションを示した。これに対し、図９及び図１０に示すように、互いに略水平方向に並ぶように配置された複数のエアーセル１１０と、各エアーセル１１０の下端をそれぞれ支持する平板状の支持部材１２０とを有するクッションにおいて、支持部材１２０に前述の各第２貫通孔２０ｃと同様の複数の貫通孔１２０ａを設け、吸引ポンプ３０によって各貫通孔１２０ａから空気を吸引することも可能である。この場合でも、空気の吸引とともに汗等による湿気や液体が吸引され、前述と同様の作用効果を達成することができる。ここで、各エアーセル１１０は着座面前後方向に延びる筒状に形成され、互いに着座面幅方向に並ぶように配置されている。また、各エアーセル１１０は支持部材１２０の上面１２０ｂから上方に突出するように支持部材１２０によってそれぞれ支持されている。さらに、前述の場合と同様に、各エアーセル１１０の外表面１１０ａ、支持部材１２０の上面１２０ｂ、各エアーセル１１０から成るエアーセル群の外周面に沿って延びる第１仮想面Ｆ１及び各エアーセル１０の上端に接触するように延びる第２仮想面Ｆ２によって形成された空間（図１０の斜線部分）が基準空間ＳＳとなる。
【００３３】
尚、本実施形態では、着座面に載置されて使用されるクッションにおいて、前記空間ＳＰから空気を吸引するようにしたものを示した。これに対し、図１１に示すように、椅子の着座面に複数のエアーセル１３０を直接設けることも可能である。この場合、椅子は、支持部材としての平板状の着座面１４１と、着座面１４１を支持する複数の脚１４２と、着座面１４１における上面１４１ａの一部から上方に向って延びるように形成された背凭れ１４３とを有する。また、各エアーセル１３０はその下端側を着座面１４１によってそれぞれ支持されている。即ち、各エアーセル１３０及び着座面１４１によってクッションが構成される。また、各エアーセル１３０上に着座者が着座した状態で、着座者の臀部の下面、各エアーセル１３０の外表面１３０ａ及び着座面１４１の上面１４１ａによって形成される空間の空気が吸引ポンプ３０によって吸引される。このため、着座面に載置されて使用される前述のクッションと同様の作用効果を達成することが可能である。同様に、車椅子の着座面に各エアーセル１３０を直接設けることも可能である。
【００３４】
また、支持部材２０をベッドの上面に沿って延びるように形成し、ベッドに載置されて使用されるクッションを構成することも可能である。この場合でも、着座面に載置されて使用される前述のクッションと同様の作用効果を達成することが可能である。さらに、ベッドの上面に複数のエアーセルを直接設けることも可能である。即ち、ベッドの上面部分及び各エアーセルによってクッションが構成される。この場合でも、着座面に載置されて使用される前述のクッションと同様の作用効果を達成することが可能である。
【００３５】
尚、本実施形態では、支持部材２０に複数の第２貫通孔２０ｃを設け、各第２貫通孔２０ｃを介して前記空間ＳＰの空気を吸引するものを示した。これに対し、図１２に示すように、各第２貫通孔２０ｃを設けずに、吸引ポンプ３０の吸引パイプ３０ａを支持部材２０の上面２０ｃ側に配置し、吸引パイプ３０ａに複数の吸引孔３０ｂを設けることにより、前記空間ＳＰの空気を吸引することも可能である。
【００３６】
また、本実施形態では、各エアーセル１０が支持部材２０における上側シート状部材３１と一体に設けられたものを示した。これに対し、各エアーセル１０を支持部材２０に着脱自在に設けることも可能であり、この場合でも前述と同様の作用効果を達成することが可能である。
【００３７】
尚、本実施形態では、一定の吸引速度で空気を吸引する吸引ポンプ３０を用いるものを示した。これに対し、吸引速度が温度、湿度、時間等によって変化する吸引ポンプを用いることも可能である。この場合でも、前記基準体積Ｓ１を所定時間あたりの吸引量Ｓ２で除算した値が１以上１０以下であれば、前述と同様の作用効果を達成することが可能である。
【００３８】
また、本実施形態では、各エアーセル２０内に空気を供給するための図示しない電動エアーポンプと吸引ポンプ３０とを設けたものを示した。これに対し、各エアーセル２０内に空気を供給するための前記電動エアーポンプの空気吸入口を吸引ポンプ３０の代わりに用いることも可能であり、吸引ポンプ３０によって空気を吸引する場合と同様の作用効果を達成することが可能である。この場合、通常は前記電動エアーポンプの空気吸入口に防塵フィルターを設ける必要があるところ、防塵フィルターの代わりにフィルター３１を取付けることが可能であり、防塵フィルターを設ける必要がなくなる。
【図面の簡単な説明】
【００３９】
【図１】本発明における一実施形態を示すクッションの平面図
【図２】図１におけるＡ−Ａ線断面図
【図３】基準空間を示すクッションの断面図
【図４】クッションのブロック図
【図５】制御装置の動作を示すフローチャート
【図６】クッションの動作説明図
【図７】クッションの動作説明図
【図８】本実施形態の第１変形例を示すクッションの断面図
【図９】本実施形態の第２変形例を示すクッションの平面図
【図１０】図９におけるＢ−Ｂ線断面図
【図１１】本実施形態の第３変形例を示す椅子の側面図
【図１２】本実施形態の第４変形例を示すクッションの平面図
【符号の説明】
【００４０】
１０…エアーセル、１０ａ…外表面、２０…支持部材、２０ａ…上面、２０ｂ…第１貫通孔、２０ｃ…第２貫通孔、３０…吸引ポンプ、３０ａ…吸引パイプ、３０ｂ…吸引孔、４０…温度センサ、５０…着座検知センサ、６０…制御装置、７０…カバー、９０…エアーセル、１００…支持部材、１００ａ…上面、１１０…エアーセル、１１０ａ…外表面、１２０…支持部材、１２０ａ…貫通孔、１２０ｂ…上面、１３０…エアーセル、１３０ａ…外表面、１４１…着座面、１４１ａ…上面、１４２…脚、１４３…背凭れ、ＳＳ…基準空間、ＳＰ…空間、Ｈ…臀部、Ｆ１…第１仮想面、Ｆ２…第２仮想面、ＣＬ…衣服。
【図１】
2009112464.tif 000003
【図２】
2009112464.tif 000004
【図３】
2009112464.tif 000005
【図４】
2009112464.tif 000006
【図５】
2009112464.tif 000007
【図６】
2009112464.tif 000008
【図７】
2009112464.tif 000009
【図８】
2009112464.tif 000010
【図９】
2009112464.tif 000011
【図１０】
2009112464.tif 000012
【図１１】
2009112464.tif 000013
【図１２】
2009112464.tif 000014